【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
ブロックされた入口（１０）を有する領域（２、４）へのアクセスを可能にするための方法であって、前記入口（１０）のブロックが、権限付与された認証情報の受信に際して、前記入口（１０）をブロック解除するように構成されたアクセスコントローラ（１２）によって制御され、前記方法が、
前記アクセスコントローラ（１２）内でオーバーライド認証情報（６０）を、前記アクセスコントローラのオーバーライド認証情報生成器によって、繰り返し更新すること、
前記アクセスコントローラ（１２）から遠隔ノード（１６）へ前記更新されたオーバーライド認証情報（６０）を、前記アクセスコントローラのＩ／Ｏインターフェースによって、送信すること、
前記遠隔ノード（１６）と前記アクセスコントローラ（１２）との間の接続性を、前記アクセスコントローラの接続テスターによって、繰り返しチェックすること、
前記アクセスコントローラ（１２）と前記遠隔ノード（１６）との間の接続性の不具合を、前記アクセスコントローラの前記接続テスターによって、検出すること、
前記接続性の不具合の検出に応じて、前記アクセスコントローラのオーバーライド認証情報生成器によって、前記アクセスコントローラ（１２）内で、前記オーバーライド認証情報（６０）を権限付与された認証情報として設定すること、及び
前記アクセスコントローラ（１２）によって受信された、前記領域（２、４）へのアクセス要求内の前記オーバーライド認証情報（６０）の受信に際して、前記ブロックされた入口（１０）を通るアクセスを、前記アクセスコントローラの前記Ｉ／Ｏインターフェースによって、可能にすることを含む、方法。
【請求項２】
前記接続テスターによる前記接続性の不具合の検出に応じて、前記アクセスコントローラによって無線近距離通信アクセスポイント（２４、６２）を起動する動作であって、前記無線近距離通信アクセスポイント（２４、６２）が、前記アクセスコントローラ（１２）と通信するように構成されている、動作を更に含む、請求項１に記載の方法。
【請求項３】
前記無線近距離通信アクセスポイント（６２）が、前記アクセスコントローラ（１２）と同じハウジング内に配置されている、請求項２に記載の方法。
【請求項４】
前記オーバーライド認証情報を含む前記アクセス要求を、携帯通信端末から前記アクセスコントローラで受信することを更に含む、請求項１に記載の方法。
【請求項５】
前記携帯通信端末（８）はセルラーネットワーク（２０）を介して通信することが可能であり、前記遠隔ノード（１６）は、遠隔ネットワーク内に配置され、前記セルラーネットワーク（２０）を介してアクセス可能であり、前記方法が、
前記携帯通信端末（８）から、前記セルラーネットワーク（２０）を介して、前記遠隔ネットワーク内の前記遠隔ノード（１６）へ、前記アクセスコントローラ（１２）によって制御される前記入口（１０）に対するアクセス要求を送信することを更に含む、請求項４に記載の方法。
【請求項６】
前記アクセスコントローラ（１２）が、ローカルネットワークに接続されている、請求項１から５のいずれか一項に記載の方法。
【請求項７】
前記遠隔ノード（１６）が、遠隔ネットワーク（１４）に接続されている、請求項１から６のいずれか一項に記載の方法。
【請求項８】
前記アクセスコントローラ（１２）が、遠隔ネットワークの接続を介した通信のために、前記遠隔ノード（１６）に接続されている、請求項１から７のいずれか一項に記載の方法。
【請求項９】
権限付与された認証情報の受信に際して、入口をブロック解除するように構成されたブロックされた入口を有する領域（２、４）へのアクセスを許可するためのアクセスコントローラ（１２）であって、
入口（１０）のロック解除又はロックのために前記入口に信号を送信するように構成された、Ｉ／Ｏインターフェース（５０）、
遠隔ノード（１６）を含む、通信ネットワーク（１４）と通信するためのネットワークインターフェース（５２）、
メモリ（５８）、
オーバーライド認証情報（６０）を繰り返し更新し、前記ネットワークインターフェース（５２）を介して、前記更新されたオーバーライド認証情報を前記遠隔ノードへ送信し、前記更新されたオーバーライド認証情報を、前記メモリ（５８）内に記憶するように構成された、オーバーライド認証情報生成器（５６）、
前記アクセスコントローラに接続された前記遠隔ノード（１６）との接続をテストするように構成された、接続テスター（５４）、及び
前記オーバーライド認証情報がアクセスのための権限を付与されたか否かを示す、前記記憶されたオーバーライド認証情報に接続されている権限付与指示器
を備え、
前記権限付与指示器が、前記接続テスターからの結果に基づいて制御され、前記オーバーライド認証情報が、接続性の不具合の検出に応じてアクセス権限付与され、
前記Ｉ／Ｏインターフェースがさらに、前記領域へのアクセス要求内での前記オーバーライド認証情報の受信に応じて、前記入口をロック解除するために前記入口に信号を送信する、アクセスコントローラ（１２）。
【請求項１０】
前記接続テスター（５４）が接続不良を検出したときに、起動されるように構成された、近距離通信アクセスポイント（６２）を更に含む、請求項９に記載のアクセスコントローラ（１２）。
【請求項１１】
前記近距離通信アクセスポイント（６２）が、前記アクセスコントローラ（１２）と同じハウジング内に配置されている、請求項１０に記載のアクセスコントローラ（１２）。
【請求項１２】
前記近距離通信アクセスポイント（６２）からアクセス要求を受信し、前記Ｉ／Ｏインターフェース（５０）を介して、ロック解除の信号を送信するように構成された認証器（６１）を更に備える、請求項１０又は１１に記載のアクセスコントローラ（１２）。
【請求項１３】
ブロックされた入口を有する領域へのアクセスを許可するための方法であって、前記入口のブロックが、権限付与された認証情報の受信に際して、前記入口をブロック解除するように構成されたアクセスコントローラによって制御され、前記アクセスコントローラが、アクセス制御システムの部分であり、遠隔ネットワーク接続を介して、同じくアクセス制御システムの部分である遠隔ノードと通信し、前記方法は、
前記アクセスコントローラと前記遠隔ノードとの間の前記遠隔ネットワーク接続上の接続性の不具合を、前記アクセスコントローラの接続テスターによって、検出すること、
前記接続テスターによる前記接続性の不具合の検出に応じて、前記アクセスコントローラによって無線近距離通信アクセスポイントを起動すること、
前記無線近距離通信アクセスポイントを介して前記アクセスコントローラで、前記入口をロック解除するために前記アクセスコントローラに権限付与する認証情報を受信すること、及び
前記入口をロック解除するために前記入口に信号を送信することによって、前記ブロックされた入口を介した前記領域へのアクセスを、前記アクセスコントローラのＩ／Ｏインターフェースによって許可すること
を含む、方法。
【請求項１４】
前記無線近距離通信アクセスポイントが、前記アクセスコントローラと同じハウジング内に配置されている、請求項１３に記載の方法。
【請求項１５】
前記アクセスコントローラに関連したオーバーライド認証情報を、前記アクセスコントローラのオーバーライド認証情報生成器によって、繰り返し更新することと、
前記アクセスコントローラから遠隔ノードへ前記更新されたオーバーライド認証情報を、前記アクセスコントローラのＩ／Ｏインターフェースによって、送信すること、及び
前記接続性の不具合の検出に応じて、前記アクセスコントローラのオーバーライド認証情報生成器によって、前記アクセスコントローラ内で、前記オーバーライド認証情報を権限付与された認証情報として設定すること、
を含み、
前記無線近距離通信アクセスポイントを介して前記アクセスコントローラで受信された認証情報が、前記オーバーライド認証情報である、請求項１３に記載の方法。